(57)【特許請求の範囲】
【請求項１】
軸部と作業部とを備える複数本の歯科用器具を並列に収納する歯科用器具収納ケースであって、収納用凹部と、固定溝とを有し、収納される各々の歯科用器具は、前記軸部を前記収納用凹部に保持され、保持された状態から前記軸部の軸端部を上方から押し下げて前記軸端部を前記固定溝に挟み固定することで、前記作業部が持ち上がり、斜めに立てて固定されるものであることを特徴とする歯科用器具収納ケース。
【請求項２】
前記収納用凹部は、各々の前記歯科用器具に対し、軸端部側と作業部側の２カ所を含む複数個所で嵌合する構造であり、前記軸端部を上方から押し下げたとき、前記歯科用器具は、前記作業部側の嵌合が外れ、軸端部側の収納用凹部を支点として斜めに立ち上がることを特徴とする請求項１に記載の歯科用器具収納ケース。
【請求項３】
さらに、前記歯科用器具収納ケースの床面に直立穴を有し、前記直立穴は、前記歯科用器具の前記軸端部を挿入して、前記歯科用器具を直立保持させることを特徴とする請求項１又は２に記載の歯科用器具収納ケース。
【発明の詳細な説明】
【技術分野】
【０００１】
本発明は、歯科用研削具等を収納する歯科用器具収納ケースに関する。
【背景技術】
【０００２】
歯科用研削具等のようにハンドピースに取り付けて使用する歯科用器具は、専用のケースに収納されて、販売や運搬がされる。そして、治療で使用する際には、収納ケースから取り出してハンドピースに取り付けるのだが、このような歯科用研削具等は小さいため、指先で摘んで取付け等の作業をしなければならない。そして、歯科用器具は収納ケースの中で動かないように収納されているので、収納ケースから摘んで取り外すのは案外面倒な作業である。
【０００３】
ここで、特許文献１や特許文献２に記載されている収納ケースでは、器具を取り出し易い状態にするため、歯科用器具の保持角度を変化させることができる機構が備えられている。図４及び図５は、従来の歯科用器具の収納ケースを示す図である。
【０００４】
図４及び図５に示すような収納ケース１００は、収納部１０１と蓋部１０２を有しており、蓋部１０２を開けると収納部１０１の角度が変化し、歯科用器具５０が露出して取り出し易くなる機構となっている。このとき、確かに歯科用器具５０は取り出し易くなるのだが、数本の歯科用器具５０が並んで収納されているため、取り出す際に、隣の器具に爪が当たったりして、爪に傷がついたり、引っ掛けて隣の器具を落としてしまうなどの不具合を生じることがある。特に歯科助手は女性が多いので、爪に傷がつくことは、特に嫌がられる傾向にある。
【先行技術文献】
【特許文献】
【０００５】
【特許文献１】実開平６−６３０１７号公報
【特許文献２】実公平５−４１６９２号公報
【発明の概要】
【発明が解決しようとする課題】
【０００６】
斯かる事情に鑑み、本発明は、並列して収納されている歯科用器具のうち、必要な歯科用器具のみを取り出し易くすることができる歯科用器具収納ケースを提供することを目的とする。
【課題を解決するための手段】
【０００７】
本発明の歯科用器具収納ケースは、軸部と作業部とを備える複数本の歯科用器具を並列に収納する歯科用器具収納ケースであって、収納用凹部と、固定溝とを有し、収納される各々の歯科用器具は、軸部を収納用凹部に保持され、保持された状態から軸部の軸端部を上方から押し下げて軸端部を固定溝に挟み固定することで、作業部が持ち上がり、斜めに立てて固定されるものとする。
【０００８】
また、収納用凹部は、各々の歯科用器具に対し、軸部の軸端部側と作業部側の２カ所を含む複数箇所で嵌合する構造であり、軸端部を上方から押し下げたとき、歯科用器具は、作業部側の嵌合が外れ、軸端部側の収納用凹部を支点として斜めに立ち上がることにするとよい。
【０００９】
さらに、歯科用器具収納ケースの床面に直立穴を有し、その直立穴は、歯科用器具の軸端部を挿入して、歯科用器具を直立に保持するものにするとよい。
【発明の効果】
【００１０】
本発明によれば、複数本が並列に収納されている歯科用器具の各々を作業部を持ち上げた状態で斜めに立てて固定することができるので、使いたい歯科用器具のみを取り出し易い状態に準備することができるという効果を奏する。
【００１１】
さらに、歯科用器具を直立穴に直立保持させれば、より取り出し易くすることができ、また、使用後に他の歯科用器具と交換する際の仮置きに使用することもできるという効果を奏する。
【図面の簡単な説明】
【００１２】
【図１】本発明の歯科用器具収納ケースを示す図であって、（ａ）は平面図、（ｂ）は歯科用器具を収納した状態の平面図、（ｃ）は斜視図である。
【図２】収納用凹部と直立穴に歯科用器具を収納した断面図である。
【図３】歯科用器具の収納状態を説明する断面図であって、（ａ）は水平に保持した状態、（ｂ）は作業部を持ち上げて斜めに立てた状態である。
【図４】従来の歯科用器具の収納ケースを示す図である。
【図５】従来の歯科用器具の収納ケースを示す図である。
【発明を実施するための形態】
【００１３】
以下、本発明の実施の形態を添付図面を参照して説明する。
【００１４】
図１は、本発明の歯科用器具収納ケースを示す図であって、（ａ）は平面図、（ｂ）は歯科用器具を収納した状態の平面図、（ｃ）は斜視図である。この歯科用器具収納ケース１０は、複数本の歯科用器具５０を並列に収納するものであって、樹脂成型されたものである。なお、図１（ｂ）の一番右の歯科用器具５０は、直立穴４０に直立保持された状態である。
【００１５】
この歯科用器具収納ケース１０は、歯科用器具５０を収納する部分を備える本体部１１と、歯科用器具５０を上方から押圧する押さえ部１３を備えた蓋部１２とからなり、蓋部１２は本体部１１に対し開閉できる構造になっている。なお、図示しないが、本体部１１に対し、蓋部１２をスライドさせて開閉する構造でもよい。また、本体部１１は、歯科用器具５０を水平に嵌合収納する収納用凹部２０と、歯科用器具５０の軸端部５１ａを挟み斜めに固定する固定溝３０とを有する。さらに、本体部１１の床面１１ａには、歯科用器具５０を直立保持するための直立穴４０を設けてもよい。
【００１６】
収納用凹部２０は、歯科用器具５０の軸部５１を嵌合して、歯科用器具５０をほぼ水平な状態で収納するものである。なお、歯科用器具５０は、作業部５２とハンドピースに取り付ける軸部５１とを有する歯科用研削具を基本とするが、歯科用研削具以外でもこのように軸部５１を嵌合して収納できるものであればよい。また、収納用凹部２０は、１本の歯科用器具５０に対し、１カ所で嵌合収納する構造でもよいが、図１のように軸部５１の軸端部側の収納用凹部２０ａと作業部側の収納用凹部２０ｂの２カ所等、複数個所で嵌合する構造にすれば、より安定した状態で水平に収納できるという利点がある。なお、図示しないが、軸端部側の収納用凹部２０ａと作業部側の収納用凹部２０ｂの間に、さらに別の収納用凹部を設ける構成でもよい。
【００１７】
固定溝３０は、歯科用器具５０の軸端部５１ａを歯科用器具収納ケース１０の床面１１ａに向かって押し下げたときに挟み固定できる幅の溝、つまりは軸部５１の直径と同一か、又は、直径よりも僅かに狭い幅の溝とする。固定溝３０の長さとしては、指の先が入り込みやすい長さであることが好ましいので、４ｍｍ以上あることが好ましい。一方、作業部５２の持ち上がる角度を一定以上として取りやすくするためには、歯科用器具５０の全長の元側１／３程度の範囲内で押し下げることが好ましいため、歯科用器具５０のサイズに応じて上限を設定することが望ましい。本実施例では、床面１１ａにおいて作業部５２を収納するスペース（軸部５１を嵌合する収納用凹部２０を境とする、作業部５２側部分）を広く確保して作業部５２の長いサイズの歯科用器具５０にも対応するとともに、軸部５１の短いサイズの歯科用器具５０にも対応できるよう、固定溝３０の長さを設定している。そのため４ｍｍ〜７ｍｍ程度が好ましいが、これらに限定するものでは無い。また、溝の方向は、歯科用器具５０の軸方向と同じ方向を向いていることにする。ここで、歯科用器具５０の軸部５１の長さや作業部５２の長さ等によって、収納用凹部２０の嵌合位置が軸部５１の上で前後するので、軸端部５１ａを押し下げたときに、軸端部５１ａが歯科用器具収納ケース１０の床面に到達する位置も前後にずれる。しかし、このずれは常に歯科用器具５０の軸方向にしか生じないため、固定溝３０の方向が歯科用器具５０の軸方向と同じ方向であれば、そのずれは軸端部５１ａを固定する際に問題とはならないことになる。
【００１８】
直立穴４０は、歯科用器具収納ケース１０の床面１１ａの上に設けられた穴で、歯科用器具５０の軸端部５１ａを挿入して直立保持させるものである。つまり、直立穴４０の径は、軸端部５１ａがちょうど嵌る径、若しくは軸部５１より僅かに大きな径でなければならない。径が小さ過ぎると嵌らず、大き過ぎると倒れてしまうので、歯科用器具５０を直立保持できる程度の穴径であればよい。直立穴４０は、床面１１ａの上に設けられたリング状の凸部としてもよいし、床面１１ａを掘って穿けた穴でもよい。直立穴４０の位置は、図１のように軸端部側の収納用凹部２０ａと作業部側の収納用凹部２０ｂの間であってもよいが、特に位置を限定する必要はなく、歯科用器具収納ケース１０の床面１１ａの上であればどこでもよい。
【００１９】
図２は、収納用凹部と直立穴に歯科用器具を収納した図で、図１（ｂ）のＡ−Ａ断面図である。図２の一番左の収納用凹部２０は、歯科用器具５０を嵌め込む直前で、収納用凹部２０の入り口部分の上に軸部５１を載せて保持した状態を示している。そして、収納用凹部２０は、歯科用器具５０の軸部５１の直径よりも少し狭い入口部分から軸部５１を床面１１ａに向かって（矢印方向に）押し込んで嵌め込む構造になっている。作業用凹部２０の凹部の断面は、軸部５１の断面とほぼ同一の断面となっており、嵌合した状態で歯科用器具５０は水平に保持されることになる（図２の左から２，３，４番目の収納用凹部２０）。なお、この嵌合収納は、歯科用器具５０を完全に固定するものでもよいし、少し動かせる程度の余裕を持たせたものでもよい。歯科用器具収納ケース１０を運搬する際に、歯科用器具５０がケース内で動き回らなければよいので、蓋部１２に備えられた押さえ部１３によって、歯科用器具５０を上方から押圧する構造にしておけば、余裕を持たせて嵌合収納する構造であっても特に問題は無い。逆に、収納用凹部２０のみで歯科用器具５０を完全に固定できるのであれば、押さえ部１３が不要な場合もある。
【００２０】
図２の一番右の歯科用器具５０は、直立穴４０に軸端部５１ａを挿入して直立保持された状態を示している。直立穴４０については前述した通り、床面１１ａの上に設けられ、軸端部５１ａの径とほぼ同一の径の穴である。直立穴４０は、使用前の準備として利用されたり、一度使用した歯科用器具５０を仮置きしたりする場合に利用される。
【００２１】
図３は、歯科用器具の収納状態を説明する断面図であって、（ａ）は水平に保持した状態、（ｂ）は作業部を持ち上げて斜めに立てた状態である。歯科用器具５０を収納用凹部２０に水平に保持した状態では、歯科用器具５０を取り出すのが面倒であるため、使用する歯科用器具５０のみを摘みやすいように立てて、使用の準備をするとよい。ここでは、歯科用器具５０の軸端部５１ａ付近を歯科用器具収納ケース１０の床面１１ａに向かって（矢印方向に）押し下げることで、作業部側の収納用凹部２０ｂの嵌合が外れ、軸端部側の収納用凹部２０ａを支点として歯科用器具５０の作業部５２が持ち上がる。このとき、軸端部側の収納用凹部２０ａの嵌合は、完全には外れないので、軸端部５１ａを固定溝３０に挟み込めば、斜めに立てた状態で固定することができる。
【００２２】
なお、このように斜めに立てるためには、軸端部５１ａを指先で押し下げればよいので、使用する歯科用器具５０のみを簡単に立てることができる。また、このように斜めに立てた状態から歯科用器具５０を取り出した後、直立穴４０に歯科用器具５０を垂直に立てて、使用する歯科用器具５０のみをより取り易く準備することもできる。
【符号の説明】
【００２３】
１０ 歯科用器具収納ケース
１１ 本体部
１１ａ 床面
１２ 蓋部
１３ 押さえ部
２０ 収納用凹部
２０ａ 軸端部側の収納用凹部
２０ｂ 作業部側の収納用凹部
３０ 固定溝
４０ 直立穴
５０ 歯科用器具
５１ 軸部
５１ａ 軸端部
５２ 作業部
【図１】
0006427434.tif 000002
【図２】
0006427434.tif 000003
【図３】
0006427434.tif 000004
【図４】
0006427434.tif 000005
【図５】
0006427434.tif 000006